(57)【要約】【課題】個々のユーザのニーズに応じて健康管理のためのアプリケーションを提供すること。【解決手段】本発明のプラットフォームサーバは、ユーザの生体情報を利用する２以上のアプリケーションプログラムを実行可能なユーザ端末とネットワークを介して通信可能なものである。サーバは、ユーザ端末から生体情報を受信する受信手段と、ユーザのユーザＩＤと、ユーザ端末上で利用される２以上のアプリケーションのアプリケーションＩＤと、ユーザ端末により取得された生体情報と、当該生体情報をアプリケーションプログラム毎に採用するか否かを示すフラグとを関連付けたプラットフォームデータベースを記憶する記憶手段と、生体情報を受信した際にフラグを参照して、当該フラグが設定されている全てのアプリケーションに生体情報の利用を許可する許可手段と、を備える。【選択図】図７
2017174167.tif 000002
【特許請求の範囲】
【請求項１】
ユーザの生体情報を利用する２以上のアプリケーションプログラムを実行可能なユーザ端末とネットワークを介して通信可能な健康管理プラットフォームサーバであって、
前記ユーザ端末から前記生体情報を受信する受信手段と、
前記ユーザのユーザＩＤと、前記ユーザ端末上で利用される２以上のアプリケーションのアプリケーションＩＤと、前記ユーザ端末により取得された生体情報と、当該生体情報を前記アプリケーションプログラム毎に採用するか否かを示すフラグとを関連付けたプラットフォームデータベースを記憶する記憶手段と、
前記生体情報を受信した際に前記フラグを参照して、当該フラグが設定されている全ての前記アプリケーションに前記生体情報の利用を許可する許可手段と、
を備える健康管理プラットフォームサーバ。
【請求項２】
請求項１に記載の健康管理プラットフォームサーバであって、
前記受信手段は、前記ユーザ端末から、前記生体情報を利用すべき前記アプリケーションプログラムの指定情報を更に受信し、
前記許可手段は、前記フラグが設定され且つ前記指定情報により指定された全ての前記アプリケーションに前記生体情報の利用を許可する
健康管理プラットフォームサーバ。
【請求項３】
請求項１又は請求項２に記載の健康管理プラットフォームサーバであって、
前記プラットフォームデータベースは、前記生体情報を継続的に取得して蓄積し、
前記許可手段は、前記前記ユーザ端末上で新たに利用が開始された前記アプリケーションに蓄積された前記生体情報の利用を許可する、
健康管理プラットフォームサーバ。
【請求項４】
ユーザの生体情報を利用する２以上のアプリケーションプログラムを実行可能なユーザ端末と、ネットワークを介して通信可能な健康管理プラットフォームサーバとを備える健康管理プラットフォームシステムであって、
前記健康管理プラットフォームサーバは、前記ユーザ端末から前記生体情報を受信する受信手段、前記ユーザのユーザＩＤと前記ユーザ端末上で利用されている２以上のアプリケーションプログラム、及び前記ユーザ端末により取得された生体情報と当該生体情報を前記アプリケーションプログラム毎に採用するか否かを示すフラグを関連付けたプラットフォームデータベースを記憶する記憶手段と；を備えており、
前記ユーザ端末は、前記アプリケーションが実行されることによって前記ユーザの生体情報を取得する生体情報取得手段、及び取得した前記生体情報を前記健康管理プラットフォームサーバに送信する送信手段を備えており、
前記プラットフォームサーバは、前記生体情報を受信した際に前記フラグを参照して当該フラグが設定されている全ての前記アプリケーションに前記生体情報の利用を許可すると共に、前記ユーザ端末において前記フラグが設定されたアプリケーションが実行された際に前記生体情報を当該アプリケーションにおいて利用する、
健康管理プラットフォームシステム。
【発明の詳細な説明】
【技術分野】
【０００１】
本発明は、健康管理プラットフォームサーバに関し、特に、ユーザの生体情報を利用するアプリケーションのプラットフォームサーバに関する。
【背景技術】
【０００２】
ダイエットやメタボリックシンドロームの予防等の健康意識の高まりを受けて、健康指導サービスが普及している。このようなサービスの一つとして、ユーザの生体情報をリアルタイムに取得し、端末等において管理・評価する技術が提案されている（特許文献１及び特許文献２）。
【先行技術文献】
【特許文献】
【０００３】
【特許文献１】特開２００８−０７１２６３号公報
【特許文献２】特開２０１５−１１２２０９号公報
【発明の概要】
【発明が解決しようとする課題】
【０００４】
しかしながら、近年、健康管理評価を行う様々なウェアラブル端末及びアプリケーションが提案されているものの、各端末には専用のアプリケーションが決められていることが多く、ユーザにとっては、端末を選ぶとそれ専用のアプリケーションも自動的に決められてしまうといった選択の自由が乏しい状況にある。
【０００５】
そこで、本発明は、個々のユーザのニーズに応じて健康管理のためのアプリケーションを提供し得る健康管理プラットフォームサーバ及び健康管理プラットフォームシステムを提供することを目的とする。
【課題を解決するための手段】
【０００６】
本発明によれば、第１の健康管理プラットフォームサーバとして、
ユーザの生体情報を利用する２以上のアプリケーションプログラムを実行可能なユーザ端末とネットワークを介して通信可能な健康管理プラットフォームサーバであって、
前記ユーザ端末から前記生体情報を受信する受信手段と、
前記ユーザのユーザＩＤと、前記ユーザ端末上で利用される２以上のアプリケーションのアプリケーションＩＤと、前記ユーザ端末により取得された生体情報と、当該生体情報を前記アプリケーションプログラム毎に採用するか否かを示すフラグとを関連付けたプラットフォームデータベースを記憶する記憶手段と、
前記生体情報を受信した際に前記フラグを参照して、当該フラグが設定されている全ての前記アプリケーションに前記生体情報の利用を許可する許可手段と、
を備える健康管理プラットフォームサーバが得られる。
【０００７】
本発明によれば、第２の健康管理プラットフォームサーバとして、第１に記載の健康管理プラットフォームサーバであって、
前記受信手段は、前記ユーザ端末から、前記生体情報を利用すべき前記アプリケーションプログラムの指定情報を更に受信し、
前記許可手段は、前記フラグが設定され且つ前記指定情報により指定された全ての前記アプリケーションに前記生体情報の利用を許可する
健康管理プラットフォームサーバが得られる。
【０００８】
本発明によれば、第３の健康管理プラットフォームサーバとして、第１又は第２に記載の健康管理プラットフォームサーバであって、
前記プラットフォームデータベースは、前記生体情報を継続的に取得して蓄積し、
前記許可手段は、前記前記ユーザ端末上で新たに利用が開始された前記アプリケーションに蓄積された前記生体情報の利用を許可する、
健康管理プラットフォームサーバが得られる。
【０００９】
本発明によれば、ユーザの生体情報を利用する２以上のアプリケーションプログラムを実行可能なユーザ端末と、ネットワークを介して通信可能な健康管理プラットフォームサーバとを備える健康管理プラットフォームシステムであって、
前記健康管理プラットフォームサーバは、前記ユーザ端末から前記生体情報を受信する受信手段、前記ユーザのユーザＩＤと前記ユーザ端末上で利用されている２以上のアプリケーションプログラム、及び前記ユーザ端末により取得された生体情報と当該生体情報を前記アプリケーションプログラム毎に採用するか否かを示すフラグを関連付けたプラットフォームデータベースを記憶する記憶手段と；を備えており、
前記ユーザ端末は、前記アプリケーションが実行されることによって前記ユーザの生体情報を取得する生体情報取得手段、及び取得した前記生体情報を前記健康管理プラットフォームサーバに送信する送信手段を備えており、
前記プラットフォームサーバは、前記生体情報を受信した際に前記フラグを参照して当該フラグが設定されている全ての前記アプリケーションに前記生体情報の利用を許可すると共に、前記ユーザ端末において前記フラグが設定されたアプリケーションが実行された際に前記生体情報を当該アプリケーションにおいて利用する、
健康管理プラットフォームシステムが得られる。
【発明の効果】
【００１０】
本発明によれば、個々のユーザのニーズに応じて健康管理のためのアプリケーションを提供し得る健康管理プラットフォームサーバ及び健康管理プラットフォームシステムを提供することができる。
【図面の簡単な説明】
【００１１】
【図１】本発明の実施の形態による健康管理システムの構成を示す図である。
【図２】図１の健康管理システムに含まれる健康管理プラットフォームサーバの機能構成を示すブロック図である。
【図３】図１の健康管理システムに含まれるユーザ端末の機能構成を示すブロック図である。
【図４】図１の健康管理システムに含まれるウェアラブル端末の機能構成を示すブロック図である。
【図５】図３のウェアラブル端末によりリアルタイムに取得される生体活動情報を図１のユーザ端末上にグラフ表示した場合の表示例である。（Ａ）は体動量の測定グラフであり、（Ｂ）は心拍数の測定グラフである。
【図６】健康管理プラットフォームデータベースのデータ構造を示す模式図である。
【図７】ユーザ端末の表示例である。
【図８】図１の健康管理プラットフォームサーバの処理の流れを示すフロー図である。
【発明を実施するための形態】
【００１２】
＜概要＞
図１に示されるように、本実施の形態による健康管理システム１は、健康管理プラットフォームサーバ（以下「健康管理ＰＦサーバ」と呼ぶ）１０と、管理対象者の生体活動情報をリアルタイムに取得可能なウェアラブルデバイス１００と通信可能なユーザ端末２０と、プラットフォームデータベース（以下「ＰＦＤＢ」と呼ぶ。）３０とを備えている。
【００１３】
健康管理システム１は、ネットワーク５０を介して相互に通信可能に接続された、健康管理ＰＦサーバ１０と、ユーザ端末２０とで構成される所謂クライアント／サーバモデルのシステムである。なお、ネットワーク５０は、携帯電話機やスマートフォン等に対するキャリアネットワークと、ＩＰベースのコンピュータネットワークとを含む。また、コンピュータネットワークは、図示されていない無線基地局（例えばＷｉＦｉ）によって構築される無線ネットワークを含んでも良い。
【００１４】
＜健康管理ＰＦサーバ＞
図２に示されるように、健康管理ＰＦサーバ１０は、処理部１１、メインメモリ１２、外部メモリ１３、インタフェース１４、通信部１５及びディスクドライブ１６等を備え、これらはバスを介して電気的に相互に接続される。処理部１１は、外部メモリ１３に格納されたプログラム・モジュール、及びディスクドライブ１６に格納された各種データ等をメインメモリ１２にロードして、順次プログラムを実行することにより健康管理システムによる処理を制御する。特に、処理部１１は、通信部１５を介して取得した管理対象者の生体活動情報及び検査情報と健康情報とに基づいて管理対象者の健康状態を予測する機能や、ユーザ端末１０に送信・表示するための情報を生成して通信部１５を介してユーザ端末１０に戻すように構成される。インタフェース１４は、健康管理ＰＦサーバ１０の管理者によってアクセスされ、各種サーバ機能設定やネットワーク設定を実施する。
【００１５】
なお、健康管理ＰＦサーバ１０に関する情報処理装置としての様々な機能の全部又は一部は、ユーザ端末１０が担うように構成してもよい。この場合には、ユーザ端末１０単体で情報処理装置を構成するか、またはユーザ端末１０及び健康管理ＰＦサーバ１０全体で情報処理装置が構成される。
【００１６】
＜ユーザ端末＞
図３に示されるように、ユーザ端末２０は、後述するウェアラブル端末１００と連携してユーザの生体活動情報を取得して健康管理ＰＦサーバ１０に送信したり、健康管理ＰＦサーバ１０で生成される情報をブラウザ等のアプリケーションにより表示したりすることができる装置であればよく、例えば、スマートフォン、タブレット端末、パーソナルコンピュータ、携帯型ゲーム用コンソールその他の電子機器等であればよい。
【００１７】
図示されるように、ユーザ端末２０は、端末表示部２１、端末入力部２２、端末処理部２３、端末通信部２４および端末記憶部２５等を備え、これらはバスを介して電気的に相互に接続される。
【００１８】
端末表示部２１は、健康管理ＰＦサーバ１０から端末通信部２４で受信した情報を端末記憶部２５に一時的に格納し、ブラウザ等を通じて表示する（表示の仕方はこれに限られない）。端末表示部２１は、例えば液晶ディスプレイ（ＬＣＤ）等によって実現することができるが、本実施の形態においては、特にタッチ・ディスプレイとして構成するのがよい。端末入力部２２は、ユーザ作用（メニュー等の「選択」、「移動」、「削除」等）を受け付ける。入力手段としては、キーボードや仮想キーボードによる文字入力、マウスによるオブジェクトのクリック、画面内のオブジェクトの位置に対応するタッチ・ディスプレイ上での指によるタッチ入力やスタイラスによる入力、およびその組み合わせとすることができるが、これらに限定されない。
【００１９】
端末入力部２２で受けた入力命令に基づいて、端末処理部２３がユーザ命令を作成し、端末通信部２４およびネットワーク５０を通じて健康管理ＰＦサーバ１０と通信を行う。そして、健康管理ＰＦサーバ１０内において関連の健康状態予測プログラム（後述）が実行される。端末記憶部２５は、ユーザ端末２０に関連付けられる各種データ、および画像データの表示に必要なブラウザ等のアプリケーションを格納すると共に、健康管理ＰＦサーバ１０から受信する画像データ等の各種データも一時的に格納する。
【００２０】
＜ウェアラブル端末＞
図４に示されるように、本実施の形態によるウェアラブル端末１００は、腕時計型の端末であり、ユーザの腕等に装着されることにより、ユーザの生体活動情報をリアルタイムに取得する。ウェアラブル端末１００は、心拍センサー（又は脈拍センサー）１１０と、体動センサー１２０と、心拍数情報取得部１１２と、基底心拍数情報取得部１２４と、健康度情報演算部１２４と、体動情報取得部１２２と、制御部１５０と、表示部１６０と、通信部１７０とを含む。なお、ウェアラブル端末１００の形態は、腕時計型に限られない。また、ウェアラブル端末１００の一部の構成要素を省略したり、他の構成要素を追加したりするなどの種々の変形が可能である。
【００２１】
心拍センサー（脈拍センサー）１１０は、心拍数情報取得部１１２に接続され、体動センサー１２０は、体動情報取得部１２２に接続されている。心拍数情報取得部１１２は、基底心拍数情報取得部１１４と、健康度情報演算部１２４に接続されている。基底心拍数情報取得部１１４、及び体動情報取得部１２０は、健康度情報演算部１２４に接続されている。健康度情報演算部１２４は、制御部１５０に接続され、制御部１５０は、表示部１６０及び通信部１７０に接続されている。
【００２２】
心拍センサー（脈拍センサー）１１０としては例えば光電センサーが用いられる。この場合には、生体に対して照射された光の反射光又は透過光を当該光電センサーで検出する手法等が考えられる。血管内の血流量に応じて、照射された光の生体での吸収量、反射量が異なるため、光電センサーで検出したセンサー情報は血流量等に対応した信号となり、当該信号を解析することで拍動に関する情報を取得することができる。ただし、心拍センサー１１０は光電センサーに限定されず、心電計や超音波センサー等、他のセンサーを用いてもよい。
【００２３】
体動センサー１２０は、ユーザの体動を検出するセンサーである。体動センサー１２０としては、加速度センサーや角速度センサー等を用いることが考えられるが、他のセンサーを用いてもよい。
【００２４】
表示部１６０は、演算された健康度情報等を提示する表示画面を表示するためのものであり、例えば液晶ディスプレイや有機ＥＬディスプレイなどにより実現できる。
【００２５】
心拍数情報取得部１１２は、心拍センサー（脈拍センサー）１１０からのセンサー情報に基づいて、心拍数情報を取得する。心拍数情報取得部１１２は、心拍センサー１１０の動作レートや、心拍数情報取得部１１２自体の演算レート等に応じたレートで心拍数情報を取得する。
【００２６】
基底心拍数情報取得部１１４は、深睡眠状態における心拍数を表す基底心拍数情報を取得する。基底心拍数情報の取得手法については後述する。基底心拍数情報の取得は、心拍数情報取得部１１２からの心拍数情報に基づいて行われてもよいし、心拍センサー１０からのセンサー情報に基づいて行われてもよい。
【００２７】
健康度情報演算部１２４は、ユーザの健康状態を表す健康度情報を演算する。健康度情報の演算は、心拍数情報、基底心拍数情報、及び体動情報等に基づいて行われる。
【００２８】
体動情報取得部１２２は、体動センサー１２０からのセンサー情報に基づいて体動情報を取得する。なお、ユーザの体動に起因して心拍センサー１１０にノイズが生じる可能性があることが知られており、体動情報は健康度情報の演算だけでなく、心拍数情報の演算（ノイズ低減）に用いられてもよい。
【００２９】
制御部１５０は、演算された健康度情報をウェアラブル端末１００の表示部１６０に表示する制御を行う。心拍数情報等をそのまま提示したとしても、医療知識等を持たない一般ユーザが自身の健康状態を把握することは容易ではない。よって表示制御部は、健康度情報により表されるユーザの健康状態を容易に把握可能な形態で提示することが望ましい。また、制御部１５０は、上述した健康度情報や、心拍センサー１１０及び体動センサー１２０で得られたデータ（生データ）を送信部１７０を介してユーザ端末２０に送信する制御を行う。送信には、ＵＳＢケーブル等によって有線で行われる他、無線基地局（例えばＷｉＦｉ）によって構築される無線ネットワークや、Ｂｌｕｅｔｏｏｔｈ（登録商標）等の近距離無線通信によって行うこととしてもよい。
【００３０】
図５に示されるように、ウェアラブル端末１００により取得された生体活動情報は、ユーザ端末２０の画面上にプロットして得たグラフ（図のＬ１及びＬ２）を表示することによって、ユーザの活動を可視化してもよい。
【００３１】
上述したウェラブル端末１００により取得される情報は、ユーザの心拍及び脈拍、体動のみであったが、これに代えて又はこれとともに、血圧、歩数、姿勢、位置および移動並びに位置情報を計測することとしてもよい。
【００３２】
＜プラットフォームデータベース（ＰＦＤＢ）＞
図６に示されるように、ＰＦＤＢは、ユーザを特定するＵｓｅｒ  ＩＤと、当該ユーザが利用しているアプリケーションに関するＡｐｐ  ＩＤと、生体情報を利用するか否かを示すｌｉｆｅｌｏｇ＿ｆｌａｇと、登録（記録）されている生体情報（履歴を含む）ｌｉｆｅ  ｄａｔａとを関連付けて管理するものである。本実施の形態によるＰＦＤＢは、健康管理ＰＦサーバ１０の外部メモリ１３に格納されていてもよいし、ネットワークを介して接続された他の外部メモリに格納されていてもよい。図を参照して、Ｕｓｅｒ  ＩＤ「ｙ０４１１」で特定されるユーザ（ユーザ端末）は、Ａｐｐ  ＩＤ「ａａｂｂｃｃ」と「ｄｄｅｅｆｆ」と「ｇｇｈｈｉｉ」と「ｊｊｋｋｌｌ」という４つのアプリケーションを利用している。このうち、生体情報を使用するアプリは「ａａｂｂｃｃ」と「ｇｇｈｈｉｉ」と「ｊｊｋｋｌｌ」の３つである。このうち「ａａｂｂｃｃ」と「ｊｊｋｋｌｌ」は、生体情報として睡眠時間に関する情報「ｓｌｐ＿ｔｉｍｅ」と心拍数に関する情報である「ｈ＿ｂｅａｔ」とを利用し、「ｇｇｈｈｉｉ」は、睡眠時間に関する情報「ｓｌｐ＿ｔｉｍｅ」のみを利用する。
【００３３】
本実施の形態による健康管理システムは、ユーザ端末２０においてＰＦＤＢに登録されているいずれかのアプリケーションで生体情報を登録（記録）すれば、生体情報を利用する他のアプリケーションにもその生体情報を共有するものである。例えば、図７（Ａ）に示されるように、アプリケーションａａｂｂｃｃを起動すると、「こんにちはｙ０４１１さん。昨日の睡眠時間を入力してください。」というメッセージとともに当該ユーザの直近の睡眠時間を入力するように促される。図示されるように、ユーザが「６」時間と入力し、「登録」ボタンをタッチすることにより、ＰＦＤＢが更新され、アプリケーションａａｂｂｃｃに関連付けられた生体情報として睡眠時間「６時間」が登録される。
【００３４】
本実施の形態においては、「登録」ボタンにタッチすると、図７（Ｂ）に示されるような画面に遷移し、同一プラットフォームから提供されるアプリケーションのうち生体情報を利用する他のアプリケーションであるｇｇｈｈｉｉとｊｊｋｋｌｌ（図６参照）に対して、ａａｂｂｃｃに登録した生体情報を反映させるか否かを問い合わせる。ユーザが「ＯＫ」をタッチすると、ＰＦＤＢのこれらのアプリケーションの生体情報が更新される。
【００３５】
図７から理解されるように、本実施の形態においては、生体情報を利用する他のアプリケーションへの反映がデフォルトで選択されているが、生体情報を反映（登録）するアプリケーションをユーザにより選択させることとしてもよい。この場合ね筋されるようにチェックボックス等によって、生体情報を反映したいアプリケーションを選ばせることとすればよい。
【００３６】
また、図７（Ｂ）に示されるような確認画面を表示せずに、いずれかのアプリケーションにおいて生体情報が登録された場合に当該生体情報を（自動的に）反映させることとしてもよい。
【００３７】
このように、複数のアプリケーションプログラムにおける生体情報の登録は、最初に複数のアプリケーションプログラムを指定してまとめて行うこともできるし、最初は特定のアプリケーションプログラムのみで行い、あとから別のアプリケーションプログラムで追加登録することもできる。
【００３８】
図８を参照して、実際の処理の流れを説明する。ユーザ端末２０においてアプリケーションａａｂｂｃｃが起動されると（ＳＱ１０１）、ユーザ端末２０は、健康管理サーバ１０にアクセスしてアプリケーションのログイン処理を行う（ＳＱ１０２）。健康管理サーバ１０は、ユーザ端末２０に関連付けられたユーザＩＤを特定してＰＦＤＢを参照し当該ユーザＩＤの利用するアプリケーションａａｂｂｃｃに関連付けられたｌｉｆｅ  ｄａｔａ（例えば、「睡眠時間」に関する情報）を取得して（ＳＱ１０３）、ユーザ端末２０に送信する（ＳＱ１０４）。ユーザが直近の睡眠時間を入力すると（ＳＱ１０５：図７（Ａ）参照）、ユーザ端末２０は当該睡眠時間を健康管理サーバ１０に送信する（ＳＱ１０６）。健康管理サーバ１０は、登録された睡眠時間をアプリケーションａａｂｂｃｃの新しい生体情報（最新の生体情報）としてＰＦＤＢに登録（更新登録）するとともに、ｌｉｆｅｌｏｇ＿ｆｌａｇ（図６参照）を参照して、生体情報を利用するアプリケーションのうちユーザが利用中のａｐｐ  ＩＤを特定し（ＳＱ１０７）、ダウンロード済みアプリケーションに関する情報としてユーザ端末２０に送信する（ＳＱ１０８）。ユーザ端末２０においては、アプリケーション名を表示し、ユーザに対して生体情報の反映を促す表示を行う（ＳＱ１０９：図７（Ｂ））。ユーザが反映を承諾すると許可通知が健康管理サーバに送信され（ＳＱ１１０）、ＰＦＤＢの生体情報を更新すべきアプリケーションのｌｉｆｅ  ｄａｔａの値を更新する（ＳＱ１１１）。
【００３９】
なお、上述した実施の形態においては「睡眠時間」を生体情報の例として説明をしたが、生体情報はこれに限られず、心拍、血圧、睡眠時間、体温、歩数、活動強度、体重、身長、体脂肪、睡眠の質、メンタル、調子、食事投稿、ふりかえり、目標、アンケート、利用施設、トレーニング内容、購買履歴、ＳＮＳ利用履歴、健診・検査結果、医科受診、服薬履歴等あらゆる生体情報が採用可能である。
【００４０】
また、これらの生体情報を継続的に取得して蓄積し、測定値の履歴を蓄積して、ＰＦＤＢに登録し、ユーザ端末上で新たに利用が開始されたアプリケーションにおいて当該蓄積された生体情報を利用（持ち越し）することとしてもよい。
【００４１】
＜効果＞
以上説明した健康管理システムによれば、ユーザ端末から取得した生体情報を単一のアプリケーションだけでなく、他のアプリケーションにも通知（共有）して、他のアプリケーション上でその生体情報を利用することができる。
【００４２】
＜その他＞
本発明に係るサービスとして、健康管理サービスを取りあげているが、本発明は当該事業以外の事業においても用いることができる。特に、人の心理や精神への働きかけを用いる事業（例えば、人のモチベーションを上げるため、アドバイスを行う事業）、福祉（例えば、専門家が地域のコミュニティの福祉に対して遠隔でアドバイスする場合等）、教育等の事業において用いることができる。
【産業上の利用可能性】
【００４３】
本発明は、プラットフォーム事業分野に利用する事ができる。
【符号の説明】
【００４４】
１        健康管理システム
１０        健康管理プラットフォームサーバ（健康管理ＰＦサーバ）
２０        ユーザ端末
３０        プラットフォームデータベース（ＰＦＤＢ）
３２        レセプト情報記憶部
３４        検査情報記憶部
４０        健康状態データベース（健康状態ＤＢ）
５０        ネットワーク
１００        ウェアラブル端末
１１０        心拍センサー
１１２        心拍数情報取得部
１１４        基底心拍数情報取得部
１２０        体動センサー
１２２        体動情報取得部
１２４        健康度演算部
１５０        制御部
１６０        表示部
１７０        通信部
【図１】
2017174167.tif 000003
【図２】
2017174167.tif 000004
【図３】
2017174167.tif 000005
【図４】
2017174167.tif 000006
【図５】
2017174167.tif 000007
【図６】
2017174167.tif 000008
【図７】
2017174167.tif 000009
【図８】
2017174167.tif 000010